(57)【要約】      （修正有）【課題】靴内の湿気を取り、蒸れのない快適な履き心地のよい状態で、さらに足裏の皮質も荒れないファッション性を高めた編成靴下を提供する。【解決手段】足、及び脚を部分的に又は全体的に収容可能な編成靴下であって、靴下の編生地を内面と外面の二重面編地とし、内面の編地をコラーゲン含有の糸１で、編地の外面を紙糸２で編むと共に、別色の帯状部７を設けてデザイン性を持たせる。【選択図】図１
0003195529.tif 000002
【実用新案登録請求の範囲】
【請求項１】
足を部分的に又は全体的に収容可能な編靴下であって、靴下の編生地の内面と外面の二重面編地で内面の編地にコラーゲン含有の糸で、編地の外面に紙糸で編んだ意匠性を持たせた形体にした二重面編地布体にしていることを特徴とする快適編成靴下。
【請求項２】
内面編地でのコラーゲン含有の糸は、地編糸からなる繊維の１００重量部に対して、コラーゲンを１〜５重量部の割合で含有して、太さとして３０〜３００デニールの糸であることを特徴とする請求項１に記載の快適編成靴下。
【請求項３】
外面編地での紙糸の添え糸編における添え紙糸は、製紙用パルプ材の状態、あるいは、使用済み紙類状態のものを使用して、これらを微粉砕、成形材料として分散し易く配合して、紙糸の添え糸編の表面が平滑性に秀れたものであることを特徴とする請求項１又は請求項２に記載の快適編成靴下。
【請求項４】
編生地の内面と外面の二重面編地である編靴下は、足の５本指にして、足部、または脚部を部分的に又は全体的に収容可能できるソックスタイプであって、足部の指先部、及び底部にカテキン、キトサン、キチンの天然抗菌物質を含浸させて、デザイン性を高めるために、ソックスにおいて色合いを全体で二色になって、靴下の足部の中心部に幅３０〜７０ｍｍの別色の帯状を設けていることを特徴とする請求項１〜請求項３のいずれかに記載の快適編成靴下。
【考案の詳細な説明】
【技術分野】
【０００１】本考案は、内面と外面の二重編地で内面にコラーゲン含有の糸、外面に紙糸を主体とした糸で編んだ布体にした意匠性の編成靴下に関するものである。
【背景技術】
【０００２】紙繊維と澱粉系結合剤と水とを含む紙繊維を主成分とする成形材料の調整方法であって、水を添加した紙繊維を攪拌して該紙繊維を解繊し、粒径，混練度及び水分率が均一な成形材料を得ることができ、より一層成形を容易に且つ良好に行える極めて実用性に秀れた紙繊維を主成分とする成形材料の調整方法を提供する（特許文献１参照）。【０００３】スニーカ用の靴下のように、足のほぼ全体を収容可能な略袋状の本体部と、当該本体部に接続して形成されて、開口縁が踝の下側に位置するようにして、踝の下側の部分を収容する短筒状の履き口筒部と、から成る履き口の低い編成靴下であって、前記本体部の履き口筒部に接続する接続部分、及び当該履き口筒部のうち少なくとも前記接続部分の甲側の前編地は、踵側の後編地に比較して、爪先から履き口の方向に沿った長さが短くなっている編成靴下が提案されている（特許文献２参照）。【０００４】上記文献によるように、紙繊維を使用したもの、或いはスニーカー用靴下は提案しているが、長時間使用した場合、運動する場合には靴内部のムレがあったり、足ざわりが悪く、履き心地が十分でなく、水虫の予防には余り効果をもたらしていない。
【先行技術文献】
【特許文献】
【０００５】
【特許文献１】特開２００７−２６８７５０号公報
【特許文献２】特開２００８−６９４６９号公報
【考案の概要】
【考案が解決しようとする課題】
【０００６】本考案は、男性、女性の若者のスニーカ用の靴下のように履き口の低い靴下において、ファッション性を高めた編成靴下の提供を課題としている。【０００７】長時間使用した場合、運動する場合には靴内部のムレがあったり、足ざわりが悪く、履き心地が十分でなく、水虫の予防には余り効果をもたらしていない。
また男性、サラリーマンなどの靴下は、長時間に亘って履くために、足の先がむれたり、水虫を患ったりして健康的でない。【０００８】さらに靴内の湿気を取り、蒸れのない快適な履き心地のよい状態が望まれている。さらに足裏の皮質も荒れてくるので、足の管理も必要になってくる。また靴との足裏の感触が今までのものでは接着性がよく、長時間履くと蒸れてきて、履き心地が悪くなる。この点を解消するために新規組成の靴下が望まれている。
【課題を解決するための手段】
【０００９】足を部分的に又は全体的に収容可能な略袋状の本体部と、当該本体部に接続して形成されている靴下で、編生地の内面と外面の二重面編地で内面の編地にコラーゲン含有の糸で、編地の外面に紙糸で編んだ二重面編地布体にしている快適編成靴下である。【００１０】内面編地でのコラーゲン含有の糸は、地編糸からなるナイロン糸、又はレーヨン糸の１００重量部に対して、コラーゲンを１〜５重量部の割合で含有させて、太さとして３０〜３００デニール相当のものを使用している靴下である。特にナイロン糸に含有させたものが好ましい。【００１１】外面編地での紙糸の添え糸編における添え紙糸は、木材、木綿、亜麻、麻、藁等より得られる製紙用パルプ材の状態、あるいは、使用済み新聞紙、雑誌、段ボール等の紙類、板紙、裁断屑紙、製紙工程で発生する破紙、損紙、落とし紙、使用済み廃紙等のような故紙の状態のものを使用して、これらを微粉砕、成形材料として分散し易く配合して、紙糸の添え糸編の表面が平滑性に秀れ、太さとして０．０５〜１ｍｍのもので、ナイロン糸を巻いて補強したものを使用している。特に紙糸としては、和紙を使用したものが好ましい。【００１２】編生地の内面と外面の二重面編地である編靴下は、足の５本指にして、足部、または脚部を部分的に又は全体的に収容可能できるソックスタイプであって、足部の指先部にカテキン、キトサン、キチンを含浸させて、ソックスにおいて色合いを全体で二色になって、靴下の足部の中心部に幅２０〜７０ｍｍの別色の帯状を設けている。靴下として足の腓骨、或は距骨の部分を含めて、足部、脚部の部分、又は全体で被せるようなものであって、靴を履く場合には、部分的に若干靴の開口部よりでいるのが好ましい。また色合いには、基調色として黒色又は暗色に近いものであって、帯状としては明色のものであって、赤、緑、青、ピンクなどが好ましい。しかしこれに限定するものではない。
【考案の効果】
【００１３】サラリーマンなどの靴下は、長時間に亘って履くために、足の先がむれなく、水虫を患ったりすることが少なく、健康的である。さらに靴内の湿気を取ることができて、蒸れることがない快適な履き心地のよい状態である。さらに足裏の皮質も荒れてくることはなく、足の管理もできるようになった。また靴との足裏の感触が今までのものでは接着性がよく、長時間履くと蒸れなくて、履き心地がよい。【００１４】これは足の甲の部分を短く編み、履き心地などの点から、通常の編み方でもよく、スニーカータイプに限らず、足首部もあるタイプなど、広い範囲にカバーできるものである。又は足の土踏まず部分を少し強めに締めることによって、疲れが減少する作用を持っている。
【図面の簡単な説明】
【００１５】
【図１】快適編成靴下の模式的斜視図。
【図２】快適編成靴下の使用状態の側面図。
【図３】靴下を装着してスニーカを履いた状態の快適編成靴下の側面図。
【考案を実施するための形態】
【００１６】以下、最良の実施例を挙げて、本発明について更に詳細に説明する。
図１は快適編成靴下の模式的斜視図であって、図２は快適編成靴下の使用状態の側面図、図３は靴下を装着してスニーカを履いた状態の快適編成靴下の側面図である。
【実施例１】
【００１７】図１に示すように、スニーカ用の靴下のように、足を部分的に収容可能な略袋状の本体部と、当該本体部に接続して形成されて、開口縁を踝（くるぶし）の下側に位置するようにして、踝の下側の部分を収容する短筒状の履き口筒部と、から成る履き口の低い編成靴下であって、靴下の編生地の内面と外面の二重面編地で内面の編地にコラーゲン含有のナイロン糸で、編地の外面に紙糸で編んだ二重面編地布体にした。【００１８】内面編地でのコラーゲン含有の糸は、繊維１００重量部に対して、コラーゲンを５重量部の割合で含有させて、地編糸としてナイロンのポリアミド、太さとして７０デニールのものを２本使用した。
また外面編地での紙糸の添え糸編における添え紙糸は、木材、木綿、亜麻、麻、藁等より得られる製紙用パルプ材の状態を使用して、これらを微粉砕、成形材料として分散し易く配合して、紙糸の添え糸編の表面が平滑性に秀れ、太さとして１７番手のものを使用した。【００１９】図５のように日常生活で使用したところ、夏季においても靴の内部の蒸れはなく、快適に履くことができた。
【実施例２】
【００２０】図１に示すように、スニーカ用の靴下のように、足を部分的に収容可能な略袋状の本体部と、当該本体部に接続して形成されて、開口縁を踝（くるぶし）の下側に位置するようにして、踝の下側の部分を収容する短筒状の履き口筒部と、から成る履き口の低い編成靴下であって、靴下の編生地の内面と外面の二重面編地で内面の編地にコラーゲン含有のナイロン糸で、編地の外面に紙糸で編んだ二重面編地布体にした。【００２１】内面編地でのコラーゲン含有のナイロン糸は、地編糸からなるナイロン繊維、１００重量部に対して、コラーゲンを５重量部の割合で含有させて、地編糸としてナイロンのポリアミド、太さとして７０デニールのものを３本使用した。
また外面編地での紙糸の添え糸編における添え紙糸は、木材、木綿、亜麻、麻、藁等より得られる製紙用パルプ材の状態を使用して、これらを微粉砕、成形材料として分散し易く配合して、紙糸の添え糸編の表面が平滑性に秀れ、太さとして３０番手のものを使用した。【００２２】図５のように男性サラリーマンが使用したところ、夏季においても靴の内部の蒸れはなく、快適に履くことができた。
【符号の説明】
【００２３】１．コラーゲン含有糸
２．和紙糸
３．靴下の履き口筒部
４．人の足
５．スニーカ
６．踝
７．別色の帯状部
８．指部
【図１】
0003195529.tif 000003
【図２】
0003195529.tif 000004
【図３】
0003195529.tif 000005
【図４】
0003195529.tif 000006
【手続補正書】
【提出日】平成26年12月1日(2014.12.1)
【手続補正２】
【補正対象書類名】明細書
【補正対象項目名】００１５
【補正方法】変更
【補正の内容】
【００１５】
【図１】  快適編成靴下の模式的斜視図。
【図２】  快適編成靴下の使用状態の側面図。
【図３】  快適編成靴下の上面から見た図。
【図４】  靴下を装着してスニーカを履いた状態の快適編成靴下の側面図。